(57)【特許請求の範囲】
【請求項１】
ワイヤレス通信のための第１の装置であって、
第２の装置から第１のメッセージを受信するように構成された受信機と、
前記第１のメッセージを受信したことに応答して、第２のメッセージを生成するように構成された処理システムと、前記第２のメッセージが、その後に前記第２の装置によって第３のメッセージが送信され得る遅延があるかどうかを示す値を有するフィールドを備える、
前記第２の装置に前記第２のメッセージを送信するように構成された送信機と
を備え、
前記生成することは、前記遅延があることを示す値を有する前記フィールドと、前記遅延の後、前記第３のメッセージが送信され得る前に、前記第３のメッセージを送信する許可を要求する追加のメッセージが前記第２の装置によって送信される必要がないことを示す同期インジケータとを含む前記第２のメッセージを生成することを備える、
第１の装置。
【請求項２】
前記第２のメッセージがネットワーク割当てベクトル（ＮＡＶ）インジケータをさらに備える、前記ネットワーク割当てベクトル（ＮＡＶ）インジケータが、送信のためにネットワーク割当てベクトル（ＮＡＶ）を設定すべきかどうかを示す、
特に、前記第１のメッセージが、前記第３のメッセージを送信する許可を要求し、前記ネットワーク割当てベクトル（ＮＡＶ）インジケータが、前記第３のメッセージの送信のために前記ネットワーク割当てベクトルを設定すべきかどうかを示す、
前記フィールドが、前記遅延があることを示す値を有するとき、前記ＮＡＶインジケータは、前記遅延の後、前記ＮＡＶを設定すべきことを示す、
さらに特に、前記ＮＡＶが設定されたことを前記第２のメッセージの前記ＮＡＶインジケータが示す場合、前記受信機が、前記第２の装置から前記第３のメッセージを受信するように構成された、請求項１に記載の装置。
【請求項３】
前記フィールドが、前記遅延の持続時間を示す時間値、または前記遅延の持続時間を示すフラグを含む、請求項１に記載の装置。
【請求項４】
前記遅延の持続時間が、前記第１の装置と前記第２の装置との間のネゴシエーション中に判断される、
または、前記フィールドが、持続時間フィールドを備える、さらに、ここにおいて、前記値が第１の値である場合、遅延があり、前記値が前記第１の値とは異なる第２の値である場合、遅延がない、
請求項１に記載の装置。
【請求項５】
ワイヤレス通信のための方法であって、
第１の装置によって、第２の装置から第１のメッセージを受信することと、
第２のメッセージを生成することと、前記第２のメッセージが、その後に前記第２の装置によって第３のメッセージが送信され得る遅延があるかどうかを示す値を有するフィールドを備える、
第２の装置に前記第２のメッセージを送信することと
を備え、
前記生成することは、前記遅延があることを示す値を有する前記フィールドと、前記遅延の後、前記第３のメッセージが送信され得る前に、前記第３のメッセージを送信する許可を要求する追加のメッセージが前記第２の装置によって送信される必要がないことを示す同期インジケータとを含む前記第２のメッセージを生成することを備える、
方法。
【請求項６】
前記第３のメッセージの送信のためにネットワーク割当てベクトル（ＮＡＶ）を設定すべきかどうかを示すネットワーク割当てベクトルインジケータをさらに備える、
特に、前記第１のメッセージが、前記第３のメッセージを送信する許可を要求し、ここにおいて、前記ネットワーク割当てベクトルインジケータが、前記第３のメッセージの送信のために前記ネットワーク割当てベクトルを設定すべきかどうかを示す、
前記フィールドが、前記遅延があることを示す値を有するとき、前記ＮＡＶインジケータは、前記遅延の後、前記ＮＡＶを設定すべきことを示す、
さらに特に、前記方法が、前記ＮＡＶが設定されたことを前記ＮＡＶインジケータが示した場合、前記第２のメッセージの前記送信の後に前記第２の装置から前記第３のメッセージを受信することを備える、
請求項５に記載の方法。
【請求項７】
前記フィールドが、前記遅延の持続時間を示す時間値を含む、
または、前記方法は、その後に前記第１の装置と前記第２の装置との間のネゴシエーション中に第３のメッセージが送信され得る前記遅延の持続時間を判断することをさらに備える、請求項５に記載の方法。
【請求項８】
前記フィールドが、定義された遅延値を示すフラグである、
または、前記フィールドが、持続時間フィールドを備える、さらに、ここにおいて、前記値が第１の値である場合、遅延があり、前記値が前記第１の値とは異なる第２の値である場合、遅延がない、請求項５に記載の方法。
【請求項９】
ワイヤレス通信のための第１の装置であって、
第２の装置から第１のメッセージを受信するように構成された受信機と、前記第１のメッセージが、その後に第２のメッセージが送信され得る遅延があるかどうかを示す値を有するフィールドを備える、
前記遅延があることを前記フィールドが示す場合、前記遅延の後に前記第２の装置に前記第２のメッセージを送信するように構成された処理システムと、を備え
前記処理システムは、前記第１のメッセージ中の同期インジケータに基づいて前記第２のメッセージを送信する許可を要求する追加のメッセージを送信すべきかどうかを判断するようにさらに構成され、
前記処理システムは、さらに前記追加のメッセージが必要であることを前記同期インジケータが示す場合、前記追加のメッセージを送信するように構成され、前記追加のメッセージが必要ないことを前記同期インジケータが示す場合、前記追加のメッセージを送信しないように構成され、
前記処理システムは、前記遅延があることを前記フィールドが示し、前記追加のメッセージが必要ないことを前記同期インジケータが示す場合、前記遅延の後、前記第２のメッセージを送信するために前記追加のメッセージを送信することなく、前記第２のメッセージを送信するように構成される、
第１の装置。
【請求項１０】
前記処理システムが、前記第１のメッセージ中のネットワーク割当てベクトル（ＮＡＶ）インジケータに基づいて、ネットワーク割当てベクトル（ＮＡＶ）が前記第２のメッセージの送信のために設定されることになるかどうかを判断するように構成され、
前記フィールドが、前記遅延があることを示す値を有するとき、前記ＮＡＶインジケータは、前記遅延の後、前記ＮＡＶを設定すべきことを示す、
特に、前記処理システムが、前記第１のメッセージの持続時間フィールドに基づいて前記遅延を判断するようにさらに構成された、請求項９に記載の装置。
【請求項１１】
前記フィールドが、持続時間フィールドを備える、前記処理システムが、前記値が第１の値である場合、遅延があると判断し、前記値が前記第１の値とは異なる第２の値である場合、遅延がないと判断するようにさらに構成された、請求項９に記載の装置。
【請求項１２】
ワイヤレス通信のための方法であって、
第２の装置から第１のメッセージを受信することと、前記第１のメッセージが、その後に第２のメッセージが送信され得る遅延があるかどうかを示す値を有するフィールドを備える、
前記第１のメッセージ中の同期インジケータに基づいて前記第２のメッセージを送信する許可を要求する追加のメッセージを送信すべきかどうかを判断することと、
前記追加のメッセージが必要であることを前記同期インジケータが示す場合、前記追加のメッセージを送信することと、
前記追加のメッセージが必要ないことを前記同期インジケータが示す場合、前記追加のメッセージを送信しないことと、
前記遅延があることを前記フィールドが示し、前記追加のメッセージが必要ないことを前記同期インジケータが示す場合、前記遅延の後、前記第２のメッセージを送信するために前記追加のメッセージを送信することなく、前記第２の装置に前記第２のメッセージを送信することと
を備える、
方法。
【請求項１３】
前記第１のメッセージ中に含まれるネットワーク割当てベクトル（ＮＡＶ）インジケータに基づいて、ネットワーク割当てベクトル（ＮＡＶ）が前記第２のメッセージのために設定されることになるかどうかを判断するために前記第１のメッセージを復号すること
をさらに備え、
前記フィールドが、前記遅延があることを示す値を有するとき、前記ＮＡＶインジケータは、前記遅延の後、前記ＮＡＶを設定すべきことを示す、
前記方法は、特に、前記第１のメッセージの持続時間フィールドに基づいて前記遅延を判断することをさらに備える、請求項１２に記載の方法。
【請求項１４】
前記フィールドが、持続時間フィールドを備える、前記方法は、前記値が第１の値である場合、遅延があると判断することと、前記値が前記第１の値とは異なる第２の値である場合、遅延がないと判断することとをさらに備える、請求項１２に記載の方法。
【請求項１５】
コンピュータ上で実行されたとき、請求項５−８または１２−１４のうちのいずれか一項に従った方法を実行するための命令を備えるコンピュータプログラム。
【発明の詳細な説明】
【技術分野】
【０００１】
[0001]本出願は、一般に、ワイヤレス通信に関し、より詳細には、ワイヤレスメッセージ中の遅延指示を実現するためのシステム、方法、およびデバイスに関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信に採用される物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）に応じて異なる。
【０００３】
[0003]ワイヤレスネットワークは、しばしば、ネットワーク要素がモバイルであり、そのため動的接続性の必要があるとき、またはネットワークアーキテクチャが、固定ではなくアドホックなトポロジーで形成される場合に好適である。ワイヤレスネットワークは、無線、マイクロ波、赤外線、光などの周波数帯域内の電磁波を使用して、非誘導伝搬モードで無形物理媒体を採用する。ワイヤレスネットワークは、有利なことに、固定有線ネットワークと比較して、ユーザモビリティと迅速なフィールド展開とを容易にする。
【０００４】
[0004]ワイヤレスネットワーク中のデバイスは、互いの間で情報を送信／受信し得る。さらに、ワイヤレスネットワーク内で情報をアクティブに送信／受信していないデバイスは、ドーズ状態に入って電力を節約することができ、ドーズ状態では、デバイスは情報をアクティブに送信／受信しない。これらのデバイスは、さらに、送信要求メッセージおよび送信可メッセージを利用して、ワイヤレスデバイスがアクセスポイント（ＡＰ）に情報を送るように要求し得るとき、およびＡＰがワイヤレスデバイスから情報を受信するように構成され得るときを示し得る。送信要求の後の送信を管理するための改善されたシステム、方法、およびデバイスが望まれる。
【発明の概要】
【０００５】
[0005]本発明のシステム、方法、およびデバイスは各々いくつかの態様を有し、それらのうちの単一の態様が単独で本発明の望ましい属性を担うとは限らない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、ワイヤレスネットワークにおけるデバイス用の改善されたページングを含む利点をどのように提供するかが理解されよう。
【０００６】
[0006]いくつかの態様では、装置を開示する。本装置は、別の装置から送信要求メッセージを受信するように構成された受信機と、受信に基づいて送信可メッセージを生成するように構成された処理システムと、送信可メッセージがネットワーク割当てベクトル（ＮＡＶ：Network Allocation Vector）を設定すべきかどうかを示す、送信可メッセージを送信するように構成された送信機とを備える。
【０００７】
[0007]本開示の一態様は、ワイヤレス通信のための方法を提供する。本方法は、装置から送信要求メッセージを受信することと、送信可メッセージを生成することと、送信可メッセージが、ネットワーク割当てベクトル（ＮＡＶ）を設定すべきかどうかを示す、送信可メッセージを送信することとを備える。
【０００８】
[0008]いくつかの態様では、ワイヤレス通信のための装置を開示する。本装置は、別の装置から送信要求メッセージを受信するための手段と、送信可メッセージを生成するための手段と、送信可メッセージが、ネットワーク割当てベクトル（ＮＡＶ）を設定すべきかどうかを示す、送信可メッセージを送信するための手段とを備える。
【０００９】
[0009]いくつかの態様では、実行されたとき、ワイヤレス通信の方法を実行することを装置に行わせる命令を用いてその上に符号化されるコンピュータ可読ストレージデバイスを備えるコンピュータプログラム製品を開示する。前記方法は、アンテナを使用して局から送信要求メッセージを受信することと、送信可メッセージを生成することと、送信可メッセージは、ネットワーク割当てベクトル（ＮＡＶ）が設定されたかどうかを示す、送信可メッセージを送信することとを備える。
【００１０】
[0010]本開示の一態様は、アクセスポイントを提供する。アクセスポイントは、アンテナと、アンテナを使用して装置から送信要求メッセージを受信するように構成された受信機と、受信に基づいて送信可メッセージを生成するように構成された処理システムと、送信可メッセージが、ネットワーク割当てベクトル（ＮＡＶ）を設定すべきかどうかを示す、送信可メッセージを送信するように構成された送信機とを備える。
【００１１】
[0011]いくつかの態様では、装置を開示する。本装置は、別の装置に送信要求メッセージを送信するように構成された送信機と、送信可メッセージを受信するように構成された受信機と、送信可メッセージは、ネットワーク割当てベクトル（ＮＡＶ）が設定されるべきであるかどうかを示す、を備える。
【００１２】
[0012]いくつかの態様では、ワイヤレス通信のための方法を開示する。本方法は、アンテナを使用して別の装置に送信要求メッセージを送信することと、送信可メッセージを受信することと、送信可メッセージは、ネットワーク割当てベクトル（ＮＡＶ）が設定されたかどうかを示す、を備える。
【００１３】
[0013]本開示の一態様は、ワイヤレス通信のための装置を提供する。本装置は、別の装置に送信要求メッセージを送信するための手段と、送信可メッセージを受信するための手段と、送信可メッセージは、ネットワーク割当てベクトル（ＮＡＶ）が設定されたかどうかを示す、を備える。
【００１４】
[0014]本開示の一態様は、実行されたとき、ワイヤレス通信の方法を実行することを装置に行わせる命令を用いてその上に符号化されるコンピュータ可読ストレージデバイスを備えるコンピュータプログラム製品を提供する。前記方法は、アンテナを使用して別の装置に送信要求メッセージを送信することと、送信可メッセージを受信することと、送信可メッセージは、ネットワーク割当てベクトル（ＮＡＶ）が設定されたかどうかを示す、を備える。
【００１５】
[0015]本開示の一態様は、局を提供する。局は、アンテナと、アンテナを使用して装置に送信要求メッセージを送信することと、送信可メッセージを受信することと、送信可メッセージは、ネットワーク割当てベクトル（ＮＡＶ）が設定されたかどうかを示す、を備える。
【００１６】
[0016]開示する別の態様は、ワイヤレス通信のための第１の装置である。第１の装置は、第２の装置から第１のメッセージを受信するように構成された受信機と、第１のメッセージを受信したことに応答して、第２のメッセージを生成するように構成された処理システムと、第２のメッセージが、送信のためにネットワーク割当てベクトルを設定すべきかどうかを示すネットワーク割当てベクトル（ＮＡＶ）インジケータを備える、第２の装置に第２のメッセージを送信するように構成された送信機とを含む。
【００１７】
[0017]本装置のいくつかの態様では、第１のメッセージは、第３のメッセージを送信する許可を要求し、ネットワーク割当てベクトル（ＮＡＶ）インジケータは、第３のメッセージの送信のためにネットワーク割当てベクトルを設定すべきかどうかを示す。本装置のいくつかの態様では、第２のメッセージは送信可メッセージである。本装置のいくつかの態様では、ＮＡＶが設定されたことを第２のメッセージのＮＡＶインジケータが示す場合、受信機は、第２の装置から第３のメッセージを受信するように構成される。本装置のいくつかの態様では、第２のメッセージは、遅延インジケータをさらに備え、遅延インジケータは、その後に第２の装置によって第３のメッセージが送信され得る遅延を示す。いくつかの態様では、遅延インジケータは、遅延の持続時間を示す時間値を含む。いくつかの態様では、遅延インジケータインクルーズは、遅延の持続時間を示すフラグである。いくつかの態様では、第１のメッセージは、遅延インジケータが位置する持続時間フィールドを備える。いくつかの態様では、示された遅延の持続時間は、第１の装置と第２の装置との間の関連付け中に判断される。いくつかの態様では、示された遅延の持続時間は、１つまたは複数のネットワークパラメータに基づいて計算される。いくつかの態様では、第２のメッセージは、第３のメッセージが送信され得る前に、第３のメッセージを送信する許可を要求する追加のメッセージが第２の装置によって送信される必要があるかどうかを示す同期インジケータを備える。
【００１８】
[0018]開示する別の態様は、ワイヤレス通信のための方法である。本方法は、第１の装置によって、第２の装置から第１のメッセージを受信することと、第２のメッセージを生成することと、第２のメッセージは、送信のためにネットワーク割当てベクトル（ＮＡＶ）を設定すべきかどうかを示すネットワーク割当てベクトル（ＮＡＶ）インジケータを備える、第２の装置に第２のメッセージを送信することとを含む。いくつかの態様では、第１のメッセージは、第３のメッセージを送信する許可を要求し、ここにおいて、ネットワーク割当てベクトルインジケータは、第３のメッセージの送信のためにネットワーク割当てベクトルを設定すべきかどうかを示す。いくつかの態様では、第２のメッセージは送信可メッセージである。いくつかの態様では、本方法はまた、ＮＡＶが設定されたことをＮＡＶインジケータが示した場合、第２のメッセージの送信の後に第２の装置から第３のメッセージを受信することを含む。いくつかの態様では、第２のメッセージは、遅延インジケータをさらに備え、遅延インジケータは、その後に第２の装置によって第３のメッセージが送信され得る遅延を示す。いくつかの態様では、遅延インジケータは、遅延の持続時間を示す時間値を含む。いくつかの態様では、本方法はまた、第１の装置と第２の装置との間の関連付け中に示された遅延の持続時間を判断することを含む。いくつかの態様では、本方法はまた、１つまたは複数のネットワークパラメータに基づいて示された遅延の持続時間を判断することを含む。いくつかの態様では、遅延インジケータは、定義された遅延値を示すフラグである。いくつかの態様では、第２のメッセージは、遅延インジケータが位置する持続時間フィールドを備える。いくつかの態様では、第２のメッセージは、第３のメッセージが送信され得る前に、第２のメッセージを送信する許可を要求する追加のメッセージが第２の装置によって送信される必要があるかどうかを示す同期インジケータをさらに備える。
【００１９】
[0019]開示する別の態様は、ワイヤレス通信のための第１の装置である。第１の装置は、第２の装置から第１のメッセージを受信するように構成された受信機と、第１のメッセージは、送信のためにネットワーク割当てベクトル（ＮＡＶ）が設定されるべきであるかどうかを示すＮＡＶインジケータを備える、ＮＡＶインジケータに基づいて第１のメッセージを受信したことに応答して第２の装置に第２のメッセージを送信すべきかどうか判断するように構成された処理システムとを含む。いくつかの態様では、処理システムは、第１のメッセージ中の遅延インジケータに基づいて、ＮＡＶが設定されることになる前の遅延を判断するように構成される、ここにおいて、送信機は、判断された遅延の後に第２のメッセージを送信するように構成される。いくつかの態様では、処理システムは、第２のメッセージの持続時間フィールドに基づいて示された遅延を判断するようにさらに構成される。いくつかの態様では、処理システムは、第１のメッセージ中の同期インジケータに基づいて第２のメッセージを送信する許可を要求する追加のメッセージを送信すべきかどうかを判断するようにさらに構成される、ここにおいて、送信機は、さらに、追加のメッセージが必要であることを同期インジケータが示す場合、追加のメッセージを送信するように構成され、追加のメッセージが必要ないことを同期インジケータが示す場合、追加のメッセージを送信しないように構成される。
【００２０】
[0020]開示する別の態様は、ワイヤレス通信のための方法である。本方法は、第２の装置から第１のメッセージを受信することと、第１のメッセージは、送信のためにネットワーク割当てベクトル（ＮＡＶ）が設定されるべきであるかどうかを示すＮＡＶインジケータを備える、ＮＡＶが設定されたことをＮＡＶインジケータが示す場合、第１のメッセージを受信したことに応答して第２の装置に第２のメッセージを送信することとを含む。いくつかの態様では、本方法は、第１のメッセージ中に含まれる遅延インジケータに基づいてＮＡＶが第２のメッセージのために設定されることになる前の遅延を判断するために第１のメッセージを復号することと、示された遅延の後に第２のメッセージを送信することとを含む。いくつかの態様では、本方法はまた、第１のメッセージの持続時間フィールドに基づいて遅延を判断することを含む。いくつかの態様では、本方法はまた、第１のメッセージ中の同期インジケータに基づいて第２のメッセージを送信する許可を要求する追加のメッセージを送信すべきかどうかを判断することと、追加のメッセージが必要であることを同期インジケータが示す場合、追加のメッセージを送信することと、追加のメッセージが必要ないことを同期インジケータが示す場合、追加のメッセージを送信しないこととを含む。
【００２１】
[0021]開示する別の態様は、ワイヤレス通信のための第１の装置である。第１の装置は、第２の装置から第１のメッセージを受信するように構成された受信機と、第１のメッセージを受信したことに応答して、第２のメッセージを生成するように構成された処理システムと、第２のメッセージは、遅延インジケータを備える、遅延インジケータは、その後に第２の装置によって第３のメッセージが送信され得る遅延を示す、第２の装置に第２のメッセージを送信するように構成された送信機とを含む。いくつかの態様では、第２のメッセージは、ネットワーク割当てベクトル（ＮＡＶ）インジケータをさらに備え、ネットワーク割当てベクトル（ＮＡＶ）インジケータは、送信のためにネットワーク割当てベクトル（ＮＡＶ）を設定すべきかどうかを示す。いくつかの態様では、第１のメッセージは、第３のメッセージを送信する許可を要求し、ネットワーク割当てベクトル（ＮＡＶ）インジケータは、第３のメッセージの送信のためにネットワーク割当てベクトルを設定すべきかどうかを示す。いくつかの態様では、ＮＡＶが設定されたことを第２のメッセージのＮＡＶインジケータが示す場合、受信機は、第２の装置から第３のメッセージを受信するように構成される。いくつかの態様では、第２のメッセージは、第３のメッセージが送信され得る前に、第３のメッセージを送信する許可を要求する追加のメッセージが第２の装置によって送信される必要があるかどうかを示す同期インジケータを備える。いくつかの態様では、遅延インジケータは、遅延の持続時間を示す時間値を含む。いくつかの態様では、遅延インジケータインクルーズは、遅延の持続時間を示すフラグである。
【００２２】
[0022]いくつかの態様では、第１のメッセージは、遅延インジケータが位置する持続時間フィールドを備える。いくつかの態様では、示された遅延の持続時間は、第１の装置と第２の装置との間のネゴシエーション中に判断される。いくつかの態様では、示された遅延の持続時間は、１つまたは複数のネットワークパラメータに基づいて計算される。
【００２３】
[0023]開示する別の態様は、ワイヤレス通信のための方法である。本方法は、第１の装置によって、第２の装置から第１のメッセージを受信することと、第２のメッセージを生成することと、第２のメッセージは、遅延インジケータを備える、遅延インジケータは、その後に第２の装置によって第３のメッセージが送信され得る遅延を示す、第２の装置に第２のメッセージを送信することとを含む。いくつかの態様では、本方法は、第３のメッセージの送信のためにネットワーク割当てベクトルを設定すべきかどうかを示すネットワーク割当てベクトルインジケータをさらに含む。いくつかの態様では、第１のメッセージは、第３のメッセージを送信する許可を要求し、ここにおいて、ネットワーク割当てベクトルインジケータは、第３のメッセージの送信のためにネットワーク割当てベクトルを設定すべきかどうかを示す。いくつかの態様では、第２のメッセージは、第３のメッセージが送信され得る前に、第３のメッセージを送信する許可を要求する追加のメッセージが第２の装置によって送信される必要があるかどうかを示す同期インジケータをさらに備える。いくつかの態様では、本方法はまた、ＮＡＶが設定されたことをＮＡＶインジケータが示した場合、第２のメッセージの送信の後に第２の装置から第３のメッセージを受信することを含む。いくつかの態様では、遅延インジケータは、遅延の持続時間を示す時間値を含む。いくつかの態様では、本方法は、第１の装置と第２の装置との間のネゴシエーション中に示された遅延の持続時間を判断することをさらに含む。いくつかの態様では、本方法は、１つまたは複数のネットワークパラメータに基づいて示された遅延の持続時間を判断することをさらに含む。いくつかの態様では、遅延インジケータは、定義された遅延値を示すフラグである。いくつかの態様では、第２のメッセージは、遅延インジケータが位置する持続時間フィールドを備える。
【００２４】
[0024]開示する別の態様は、ワイヤレス通信のための第１の装置である。第１の装置は、第２の装置から第１のメッセージを受信するように構成された受信機と、第１のメッセージは、遅延インジケータを備える、遅延インジケータによって示された遅延の後に第２の装置に第２のメッセージを送信するように構成された処理システムとを含む。いくつかの態様では、処理システムは、第１のメッセージ中のネットワーク割当てベクトル（ＮＡＶ）インジケータに基づいて、ネットワーク割当てベクトル（ＮＡＶ）が第２のメッセージの送信のために設定されることになるかどうかを判断するように構成される。いくつかの態様では、処理システムは、第１のメッセージの持続時間フィールドに基づいて示された遅延を判断するようにさらに構成される。いくつかの態様では、処理システムは、第１のメッセージ中の同期インジケータに基づいて第２のメッセージを送信する許可を要求する追加のメッセージを送信すべきかどうかを判断するようにさらに構成され、送信機は、さらに、追加のメッセージが必要であることを同期インジケータが示す場合、追加のメッセージを送信するように構成され、追加のメッセージが必要ないことを同期インジケータが示す場合、追加のメッセージを送信しないように構成される。
【００２５】
[0025]開示する別の態様は、ワイヤレス通信のための方法である。本方法は、第２の装置から第１のメッセージを受信することと、第１のメッセージは、遅延インジケータを備える、遅延インジケータによって示された遅延の後に第２の装置に第２のメッセージを送信することとを含む。いくつかの態様では、本方法は、第１のメッセージ中に含まれるネットワーク割当てベクトル（ＮＡＶ）インジケータに基づいて、ネットワーク割当てベクトル（ＮＡＶ）が第２のメッセージのために設定されることになるかどうかを判断するために第１のメッセージを復号することをさらに含む。いくつかの態様では、本方法は、第１のメッセージの持続時間フィールドに基づいて遅延を判断することをさらに含む。いくつかの態様では、本方法は、第１のメッセージ中の同期インジケータに基づいて第２のメッセージを送信する許可を要求する追加のメッセージを送信すべきかどうかを判断することと、追加のメッセージが必要であることを同期インジケータが示す場合、追加のメッセージを送信することと、追加のメッセージが必要ないことを同期インジケータが示す場合、追加のメッセージを送信しないこととを含む。
【００２６】
[0026]開示する別の態様は、ワイヤレス通信のための第１の装置である。第１の装置は、第２の装置から第１のメッセージを受信するように構成された受信機と、第１のメッセージを受信したことに応答して、第２のメッセージを生成するように構成された処理システムと、第２のメッセージは、遅延インジケータを備える、遅延インジケータは、その後に第２の装置によって第３のメッセージが送信され得る遅延を示す、第２の装置に第２のメッセージを送信するように構成された送信機とを含む。いくつかの態様では、第２のメッセージは、ネットワーク割当てベクトル（ＮＡＶ）インジケータをさらに備え、ネットワーク割当てベクトル（ＮＡＶ）インジケータは、送信のためにネットワーク割当てベクトル（ＮＡＶ）を設定すべきかどうかを示す。本装置のいくつかの態様では、第１のメッセージは、第３のメッセージを送信する許可を要求し、ネットワーク割当てベクトル（ＮＡＶ）インジケータは、第３のメッセージの送信のためにネットワーク割当てベクトルを設定すべきかどうかを示す。いくつかの態様では、ＮＡＶが設定されたことを第２のメッセージのＮＡＶインジケータが示す場合、受信機は、第２の装置から第３のメッセージを受信するように構成される。本装置のいくつかの態様では、第２のメッセージは、第３のメッセージが送信され得る前に、第３のメッセージを送信する許可を要求する追加のメッセージが第２の装置によって送信される必要があるかどうかを示す同期インジケータを備える。いくつかの態様では、遅延インジケータは、遅延の持続時間を示す時間値を含む。いくつかの態様では、
[0027]開示する別の態様は、ワイヤレス通信のための第１の装置である。第１の装置は、第２の装置から第１のメッセージを受信するように構成された受信機と、第１のメッセージを受信したことに応答して、第２のメッセージを生成するように構成された処理システムと、第２のメッセージは、その後に第２の装置によって第３のメッセージが送信され得る遅延があるかどうかを示す値を有するフィールドを備える、第２の装置に第２のメッセージを送信するように構成された送信機とを含む。いくつかの態様では、第２のメッセージは、ネットワーク割当てベクトル（ＮＡＶ）インジケータをさらに備え、ネットワーク割当てベクトル（ＮＡＶ）インジケータは、送信のためにネットワーク割当てベクトル（ＮＡＶ）を設定すべきかどうかを示す。いくつかの態様では、第１のメッセージは、第３のメッセージを送信する許可を要求し、ネットワーク割当てベクトル（ＮＡＶ）インジケータは、第３のメッセージの送信のためにネットワーク割当てベクトルを設定すべきかどうかを示す。いくつかの態様では、ＮＡＶが設定されたことを第２のメッセージのＮＡＶインジケータが示す場合、受信機は、第２の装置から第３のメッセージを受信するように構成される。いくつかの態様では、第２のメッセージは、第３のメッセージが送信され得る前に、第３のメッセージを送信する許可を要求する追加のメッセージが第２の装置によって送信される必要があるかどうかを示す同期インジケータを備える。いくつかの態様では、フィールドは、遅延の持続時間を示す時間値を含む。いくつかの態様では、フィールドは、遅延の持続時間を示すフラグを含む。いくつかの態様では、遅延の持続時間は、第１の装置と第２の装置との間のネゴシエーション中に判断される。いくつかの態様では、フィールドは、持続時間フィールドを備える。さらに、ここにおいて、値が第１の値である場合、遅延があり、値が第１の値とは異なる第２の値である場合、遅延がない。
【００２７】
[0028]開示する別の態様は、ワイヤレス通信のための方法である。本方法は、第１の装置によって、第２の装置から第１のメッセージを受信することと、第２のメッセージを生成することと、第２のメッセージは、フィールドを備える、フィールドは、その後に第２の装置によって第３のメッセージが送信され得る遅延があるかどうかを示す値を有する、第２の装置に第２のメッセージを送信することとを含む。いくつかの態様では、本方法はまた、第３のメッセージの送信のためにネットワーク割当てベクトルを設定すべきかどうかを示すネットワーク割当てベクトルインジケータを含む。いくつかの態様では、第１のメッセージは、第３のメッセージを送信する許可を要求し、ここにおいて、ネットワーク割当てベクトルインジケータは、第３のメッセージの送信のためにネットワーク割当てベクトルを設定すべきかどうかを示す。いくつかの態様では、第２のメッセージは、第３のメッセージが送信され得る前に、第３のメッセージを送信する許可を要求する追加のメッセージが第２の装置によって送信される必要があるかどうかを示す同期インジケータをさらに備える。いくつかの態様では、本方法はまた、ＮＡＶが設定されたことをＮＡＶインジケータが示した場合、第２のメッセージの送信の後に第２の装置から第３のメッセージを受信することを含む。いくつかの態様では、フィールドは、遅延の持続時間を示す時間値を含む。いくつかの態様では、本方法は、その後に第１の装置と第２の装置との間のネゴシエーション中に第３のメッセージが送信され得る遅延の持続時間を判断することを含む。いくつかの態様では、フィールドは、定義された遅延値を示すフラグである。いくつかの態様では、フィールドは、持続時間フィールドを備え、さらに、ここにおいて、値が第１の値である場合、遅延があり、値が第１の値とは異なる第２の値である場合、遅延がない。
【００２８】
[0029]開示する別の態様は、ワイヤレス通信のための第１の装置である。本装置は、第２の装置から第１のメッセージを受信するように構成された受信機と、第１のメッセージは、その後に第２のメッセージが送信され得る遅延があるかどうかを示す値を有するフィールドを備える、遅延があることをフィールドが示す場合、遅延の後に第２の装置に第２のメッセージを送信するように構成された処理システムとを含む。いくつかの態様では、処理システムは、第１のメッセージ中のネットワーク割当てベクトル（ＮＡＶ）インジケータに基づいて、ネットワーク割当てベクトル（ＮＡＶ）が第２のメッセージの送信のために設定されることになるかどうかを判断するように構成される。いくつかの態様では、処理システムは、第１のメッセージの持続時間フィールドに基づいて遅延を判断するようにさらに構成される。いくつかの態様では、処理システムは、第１のメッセージ中の同期インジケータに基づいて第２のメッセージを送信する許可を要求する追加のメッセージを送信すべきかどうかを判断するようにさらに構成され、送信機は、さらに、追加のメッセージが必要であることを同期インジケータが示す場合、追加のメッセージを送信するように構成され、追加のメッセージが必要ないことを同期インジケータが示す場合、追加のメッセージを送信しないように構成される。いくつかの態様では、フィールドは、持続時間フィールドを備え、処理システムは、値が第１の値である場合、遅延があると判断し、値が第１の値とは異なる第２の値である場合、遅延がないと判断するようにさらに構成される。
【００２９】
[0030]開示する別の態様は、ワイヤレス通信のための方法である。本方法は、第２の装置から第１のメッセージを受信することと、第１のメッセージは、その後に第２のメッセージが送信され得る遅延があるかどうかを示す値を有するフィールドを備える、遅延があることをフィールドが示す場合、遅延の後に第２の装置に第２のメッセージを送信するように構成された処理システムとを含む。いくつかの態様では、本方法はまた、第１のメッセージ中に含まれるネットワーク割当てベクトル（ＮＡＶ）インジケータに基づいて、ネットワーク割当てベクトル（ＮＡＶ）が第２のメッセージのために設定されることになるかどうかを判断するために第１のメッセージを復号することを含む。いくつかの態様では、本方法はまた、第１のメッセージの持続時間フィールドに基づいて遅延を判断することを含む。
【００３０】
[0031]いくつかの態様では、本方法はまた、第１のメッセージ中の同期インジケータに基づいて第２のメッセージを送信する許可を要求する追加のメッセージを送信すべきかどうかを判断することと、追加のメッセージが必要であることを同期インジケータが示す場合、追加のメッセージを送信することと、追加のメッセージが必要ないことを同期インジケータが示す場合、追加のメッセージを送信しないこととを含む。いくつかの態様では、フィールドは、持続時間フィールドを備え、本方法は、値が第１の値である場合、遅延があると判断することと、値が第１の値とは異なる第２の値である場合、遅延がないと判断することとをさらに備える。
【図面の簡単な説明】
【００３１】
【図１】[0032]本開示の態様が採用され得る例示的なワイヤレス通信システムを示す図。
【図２】[0033]図１のワイヤレス通信システム内で採用され得る例示的なワイヤレスデバイスの機能ブロック図。
【図３Ａ】[0034]ＮＡＶが設定されたか否かを示し得る送信可メッセージを送信するための例示的な方法のフローチャート。
【図３Ｂ】[0035]ワイヤレス通信システム内で採用され得る例示的なワイヤレスデバイスの機能ブロック図。
【図４Ａ】[0036]ＮＡＶが設定されたか否かを示し得る送信可メッセージを受信するための例示的な方法のフローチャート。
【図４Ｂ】[0037]ワイヤレス通信システム内で採用され得る例示的なワイヤレスデバイスの機能ブロック図。
【発明を実施するための形態】
【００３２】
[0038]添付の図面を参照して、新規のシステム、装置、および方法の様々な態様が、以下でより十分に記載される。しかしながら、本開示は、多くの異なる形態で具現化され得るものであり、本開示全体にわたって提示される任意の特定の構造または機能に限定されるものと解釈されるべきでない。むしろ、これらの態様は、本開示が周到で完全になり、本開示の範囲を当業者に十分に伝えるように提供される。本明細書の教示に基づいて、本開示の範囲が、本発明の任意の他の態様とは無関係に実装されるにせよ、本開示の任意の他の態様と組み合わせて実装されるにせよ、本明細書で開示される新規のシステム、装置、および方法のいかなる態様もカバーするものであることを、当業者は諒解されたい。たとえば、本明細書に記載の態様をいくつでも使用して、装置が実装され得るか、または方法が実践され得る。加えて、本発明の範囲は、本明細書に記載の本発明の様々な態様に加えて、またはそれらの態様以外に、他の構造、機能、または構造および機能を使用して実践されるそのような装置または方法をカバーするものとする。本明細書で開示される任意の態様が請求項の１つまたは複数の要素によって具現化され得ることを理解されたい。
【００３３】
[0039]本明細書では特定の態様が記載されるが、これらの態様の多くの変形形態および置換は本開示の範囲内に入る。好ましい態様のいくつかの利益および利点が言及されるが、本開示の範囲は、特定の利益、使用、または目的に限定されるものではない。むしろ、本開示の態様は、様々なワイヤレス技術、システム構成、ネットワーク、および送信プロトコルに広く適用可能であるものとし、そのうちのいくつかが、例として図および好ましい態様の以下の説明で示される。発明を実施するための形態および図面は、限定的なものではなく本開示を説明するものにすぎず、本開示の範囲は添付の特許請求の範囲およびその均等物によって規定される。
【００３４】
[0040]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを一緒に相互接続するために使用され得る。本明細書に記載される様々な態様は、ワイヤレスプロトコルなどの任意の通信規格に適用することができる。
【００３５】
[0041]いくつかの態様では、サブギガヘルツ帯域内のワイヤレス信号は、直交周波数分割多重（ＯＦＤＭ）、直接シーケンススペクトル拡散（ＤＳＳＳ）通信、ＯＦＤＭとＤＳＳＳ通信との組合せ、または他の方式を使用して、８０２．１１ａｈプロトコルに従って送信され得る。８０２．１１ａｈプロトコルの実装形態は、センサ、メータリング、およびスマートグリッドネットワークに使用され得る。有利なことに、８０２．１１ａｈプロトコルを実装するいくつかのデバイスの態様は、他のワイヤレスプロトコルを実装するデバイスよりも少ない電力を消費することがあり、かつ／または比較的長い距離、たとえば約１キロメートル以上にわたってワイヤレス信号を送信するために使用され得る。
【００３６】
[0042]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（ステーションまたは「ＳＴＡ」とも呼ばれる）クライアントが存在し得る。概して、ＡＰはＷＬＡＮ用のハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（登録商標）（たとえば、８０２．１１ａｈなどのＩＥＥＥ８０２．１１プロトコル）準拠のワイヤレスリンクを介してＡＰに接続する。いくつかの実装形態では、ＳＴＡはＡＰとして使用される場合もある。ＳＴＡまたはＡＰは、ワイヤレス通信ネットワーク中のノードと呼ばれることがある。
【００３７】
[0043]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、もしくは何らかの他の用語を備えるか、それらのいずれかとして実装されるか、またはそれらのいずれかとして知られ得る。
【００３８】
[0044]ステーション「ＳＴＡ」はまた、アクセス端末（「ＡＴ」）、加入者局、加入者ユニット、移動局、リモートステーション、リモート端末、ユーザ端末、ユーザエージェント、ユーザデバイス、ユーザ機器、もしくは何らかの他の用語を備えるか、それらのいずれかとして実装されるか、またはそれらのいずれかとして知られ得る。いくつかの実装形態では、アクセス端末は、携帯電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続能力を有するハンドヘルドデバイス、またはワイヤレスモデムに接続された何らかの他の適切な処理デバイスを備えることができる。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽もしくはビデオデバイス、または衛星ラジオ）、ゲームデバイスまたはシステム、全地球測位システムデバイス、あるいはワイヤレス媒体を介して通信するように構成された任意の他の適切なデバイスに組み込まれ得る。
【００３９】
[0045]上記で説明されたように、本明細書に記載されるデバイスのいくつかは、たとえば、８０２．１１ａｈ規格を実装することができる。そのようなデバイスは、ＳＴＡとして使用されるか、ＡＰとして使用されるか、他のデバイスとして使用されるかにかかわらず、スマートメータリングのために、またはスマートグリッドネットワークにおいて使用され得る。そのようなデバイスは、センサアプリケーションを提供できるか、またはホームオートメーションにおいて使用され得る。デバイスは、代わりにまたは追加として、たとえばパーソナルヘルスケアのためにヘルスケアコンテキストにおいて使用され得る。それらはまた、（たとえばホットスポットとともに使用する）拡張範囲インターネット接続性を可能にするため、またはマシンツーマシン通信を実装するために、監視に使用され得る。
【００４０】
[0046]図１に、本開示の態様が採用され得る例示的なワイヤレス通信システム１００を示す。ワイヤレス通信システム１００は、ワイヤレス規格、たとえば８０２．１１ａｈ規格に従って動作することができる。ワイヤレス通信システム１００は、ＳＴＡ１０６と通信するＡＰ１０４を含み得る。
【００４１】
[0047]様々なプロセスおよび方法は、ＡＰ１０４とＳＴＡ１０６との間の、ワイヤレス通信システム１００内の送信に使用され得る。たとえば、信号は、ＯＦＤＭ／ＯＦＤＭＡ技法に従って、ＡＰ１０４とＳＴＡ１０６との間で送受信され得る。この場合、ワイヤレス通信システム１００は、ＯＦＤＭ／ＯＦＤＭＡシステムと呼ばれることがある。代替として、信号は、ＣＤＭＡ技法に従って、ＡＰ１０４とＳＴＡ１０６との間で送受信され得る。この場合、ワイヤレス通信システム１００は、ＣＤＭＡシステムと呼ばれることがある。
【００４２】
[0048]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクはアップリンク（ＵＬ）１１０と呼ばれることがある。代替として、ダウンリンク１０８は順方向リンクまたは順方向チャネルと呼ばれることがあり、アップリンク１１０は逆方向リンクまたは逆方向チャネルと呼ばれることがある。
【００４３】
[0049]ＡＰ１０４は、基地局として働き、基本サービスエリア（ＢＳＡ）１０２においてワイヤレス通信カバレージを提供することができる。ＡＰ１０４は、ＡＰ１０４に関連付けられ、かつ通信用にＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。したがって、本明細書に記載されたＡＰ１０４の機能は、ＳＴＡ１０６のうちの１つまたは複数によって代替的に実行され得る。
【００４４】
[0050]ＡＰ１０４は、ダウンリンク１０８などの通信リンクを介して、システム１００の他のノードＳＴＡ１０６にビーコン信号（または単に「ビーコン」）を送信することができ、ビーコン信号は、他のノードＳＴＡ１０６がそれらのタイミングをＡＰ１０４と同期させるのを助けることができるか、または他の情報もしくは機能を提供することができる。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含むことがあり、それらのうちのいくつかが以下でさらに詳細に記載される。したがって、ビーコンは、いくつかのデバイスの間で共通の（たとえば共有された）情報と、所与のデバイスに固有の情報の両方を含み得る。
【００４５】
[0051]いくつかの態様では、ＳＴＡ１０６は、ＡＰ１０４に通信を送り、かつ／またはＡＰ１０４から通信を受信するために、ＡＰ１０４と関連することが必要であり得る。一態様では、関連するための情報は、ＡＰ１０４によってブロードキャストされるビーコンに含まれる。そのようなビーコンを受信するために、ＳＴＡ１０６は、たとえば、カバレージ領域にわたって広カバレージ探索を実行することができる。探索はまた、ＳＴＡ１０６が、たとえば、灯台方式でカバレージ領域をスイープすることによって実行され得る。関連するための情報を受信した後、ＳＴＡ１０６は、関連付けプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００４６】
[0052]図２は、図１のワイヤレス通信システム１００内で採用され得るワイヤレスデバイス２０２の例示的な機能ブロック図を示す。ワイヤレスデバイス２０２は、本明細書に記載される様々な方法を実装するように構成され得るデバイスの一例である。たとえば、ワイヤレスデバイス２０２は、ＡＰ１０４、またはＳＴＡ１０６のうちの１つを備えることができる。
【００４７】
[0053]ワイヤレスデバイス２０２は、ワイヤレスデバイス２０２の動作を制御するプロセッサ２０４を含み得る。プロセッサ２０４は中央処理装置（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に提供することができる。メモリ２０６の一部分は、不揮発性ランダムアクセスメモリ（ＮＶＲＡＭ）を含む場合もある。プロセッサ２０４は、通常、メモリ２０６内に記憶されたプログラム命令に基づいて、論理演算と算術演算とを実行する。メモリ２０６内の命令は、本明細書に記載される方法を実施するように実行可能であり得る。
【００４８】
[0054]プロセッサ２０４は、１つまたは複数のプロセッサとともに実装された処理システムを備えることがあり、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行することができる任意の他の適切なエンティティの任意の組合せを用いて実装され得る。
【００４９】
[0055]処理システムはまた、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の適切なコード形式の）コードを含み得る。命令は、１つまたは複数のプロセッサによって実行されたとき、本明細書に記載される様々な機能を処理システムに実行させる。
【００５０】
[0056]ワイヤレスデバイス２０２はまた、ワイヤレスデバイス２０２とリモートロケーションとの間のデータの送信と受信とを可能にするために、送信機２１０および／または受信機２１２を含むことあるハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得る（図示せず）。
【００５１】
[0057]ワイヤレスデバイス２００は、ワイヤレスデバイス２００が情報をアクティブに送信／受信しない低電力状態または「ドーズ」状態で動作するように構成され得る。たとえば、トランシーバ２１４の一部または全部は、少なくとも一部は電力が切断され得る。
【００５２】
[0058]送信機２１０は、下記で説明されるように、ワイヤレスデバイスがドーズ状態から起きアウェイク状態に入る必要があるか否かを他のワイヤレスデバイスに示すように構成された、「ページングメッセージ」と呼ばれる場合があるメッセージをワイヤレスに送信するように構成され得る。たとえば、送信機２１０は、上記で説明された、プロセッサ２０４によって生成されたページングメッセージを送信するように構成され得る。ワイヤレスデバイス２０２がＳＴＡ１０６として実装または使用されるとき、プロセッサ２０４は、ページングメッセージを処理するように構成され得る。ワイヤレスデバイス２０２がＡＰ１０４として実装または使用されるとき、プロセッサ２０４はまた、ページングメッセージを生成するように構成され得る。受信機２１２は、ページングメッセージをワイヤレス受信するように構成され得る。
【００５３】
[0059]ワイヤレスデバイス２０２はまた、送受信機２１４によって受信された信号のレベルを検出し定量化するために使用され得る信号検出器２１８を含み得る。信号検出器２１８は、総エネルギー、シンボルごとのサブキャリア当たりのエネルギー、電力スペクトル密度および他の信号などの信号を検出することができる。ワイヤレスデバイス２０２はまた、信号を処理する際に使用するデジタル信号プロセッサ（ＤＳＰ）２２０を含み得る。ＤＳＰ２２０は、送信用のパケットを生成するように構成され得る。いくつかの態様では、パケットは物理層データユニット（ＰＰＤＵ）を備え得る。
【００５４】
[0060]いくつかの態様では、ワイヤレスデバイス２０２は、ユーザインターフェース２２２をさらに備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を伝達し、かつ／またはユーザからの入力を受信する、任意の要素または構成要素を含み得る。
【００５５】
[0061]ワイヤレスデバイス２０２の様々な構成要素は、バスシステム２２６によって互いに結合され得る。バスシステム２２６は、たとえば、データバスを含むことがあり、ならびに、データバスに加えて、電力バス、制御信号バス、およびステータス信号バスを含み得る。ワイヤレスデバイス２０２の構成要素は、何らかの他の機構を使用して、互いに結合されるか、あるいは互いに入力を受け付けるかまたは与え得ることを、当業者は諒解されよう。
【００５６】
[0062]図２には、いくつかの別個の構成要素が示されているが、構成要素のうちの１つまたは複数が組み合わされ得るかまたは共通に実装され得ることを当業者は認識されよう。たとえば、プロセッサ２０４は、プロセッサ２０４に関して上述された機能を実装するためだけでなく、信号検出器２１８および／またはＤＳＰ２２０に関して上述された機能を実装するためにも使用され得る。さらに、図２に示された構成要素の各々は、複数の別々の要素を使用して実装され得る。
【００５７】
[0063]マップがＡＰ１０４またはＳＴＡ１０６を備えるワイヤレスデバイス２０２などのワイヤレスノードは、８０２．１１ａｈ規格に準拠するネットワークなどのキャリア検知多重アクセス（ＣＳＭＡ）タイプネットワーク中で対話し得る。ＣＳＭＡは、確率的媒体アクセス制御（ＭＡＣ）プロトコルである。「キャリア検知」は、媒体上で送信しようと試みるノードが、それ自体の送信を送ろうと試みる前に、搬送波を検出するためにその受信機からのフィードバックを使用できることを表す。「多重アクセス」は、複数のノードが共有媒体上で送信および受信できることを表す。したがって、ＣＳＭＡタイプのネットワークでは、送信ノードは媒体を検知し、媒体がビジーである（すなわち、別のノードが媒体上で送信している）場合、送信ノードはその送信を後の時間に延期する。しかしながら、媒体がフリーとして検知された場合、送信ノードは媒体上でそのデータを送信することができる。
【００５８】
[0064]ノードが媒体上で送信しようと試みる前に媒体の状態を判断するために、クリアチャネルアセスメント（ＣＣＡ）が使用される。ＣＣＡ手順は、ノードの受信機がオンにされ、ノードが、現在、パケットなどのデータユニットを送信していない間に実行される。ノードは、たとえば、パケットのＰＨＹプリアンブルを検出することによってパケットの開始を検出することによって、媒体がクリアであるかどうかを検知することができ、これはプリアンブル検出と呼ばれることがある。さらに、ノードは、たとえば、信号（ＳＩＧ）フィールド内の確認応答（ＡＣＫ）指示からの延期時間または遅延時間を推定することができる。プリアンブル検出方法は、比較的弱い信号を検出することができる。したがって、この方法では検出しきい値は低い。代替方法は、電波上で何らかのエネルギーを検出することであり、これはエネルギー検出と呼ばれることがある。エネルギー検出は、一度に１つまたは複数のチャネルを検知するために使用され得る。エネルギー検出方法は、パケットの開始を検出することよりも比較的困難であり、比較的強い信号しか検出しないことがある。したがって、プリアンブル検出に比べて、この方法では検出しきい値はより高い。概して、媒体上での別の送信の検出は、送信の受信電力の関数であり、受信電力は、送信電力から経路損失を減じたものである。
【００５９】
[0065]ＣＳＭＡは、頻繁に使用されない媒体に対して特に有効であるが、媒体に同時にアクセスしようと試みる多くのデバイスで媒体が混雑した場合に性能劣化が起こることがある。複数の送信ノードが一度に媒体を使用しようと試みるとき、同時送信間の衝突が生じることがあり、送信されたデータが損失または破損され得る。ワイヤレスデータ通信では、概して、媒体上で送信している間に媒体をリッスンすることが不可能であるので、衝突検出は可能ではない。さらに、１つのノードによる送信は、概して、送信ノードの範囲内にある、媒体を使用する他のノードによってのみ受信される。これは隠れノード問題として知られ、それにより、たとえば、受信ノードに送信することを望み、かつ受信ノードの範囲内にある第１のノードは、受信ノードに現在送信している第２のノードの範囲内になく、したがって、第１のノードは、第２のノードが受信ノードに送信しており、したがって媒体を占有していることを知ることができない。そのような状況では、第１のノードは、媒体がフリーであることを検知し、送信を開始することができ、それにより、次いで受信ノードで衝突と紛失データとが生じることがある。したがって、衝突領域内のすべての送信ノード間で媒体へのアクセスをいくらか均等に分割しようと試みることによってＣＳＭＡのパフォーマンスを改善するために、衝突回避方式が使用される。特に、衝突回避は、媒体の性質、この場合、無線周波数スペクトルに起因する衝突検出とは異なる。
【００６０】
[0066]衝突回避（ＣＡ）を利用するＣＳＭＡネットワークでは、送信することを望むノードは、最初に媒体を検知し、媒体がビジーである場合、ある時間期間の間延期または遅延する（すなわち送信しない）。譲歩期間の後に、ランダム化されたバックオフ期間（すなわち、送信することを望むノードが媒体にアクセスしようと試みない追加の時間期間）が続く。バックオフ期間は、同時に媒体にアクセスしようと試みる異なるノード間の競合を解決するために使用される。バックオフ期間は、コンテンションウィンドウと呼ばれることもある。バックオフでは、媒体にアクセスしようと試みる各ノードが、範囲内で乱数を選定し、媒体にアクセスしようと試みる前に選定された数のタイムスロットの間待機し、異なるノードが媒体に依然アクセスしたかどうかを確認する必要がある。スロット時間は、前のスロットの始めに別のノードが媒体にアクセスしたかどうかをノードが常に判断することが可能であるように定義される。特に、８０２．１１規格は指数バックオフアルゴリズムを使用し、そこでは、ノードは、スロットを選定し別のノードと衝突するたびに、範囲の最大数を指数関数的に増加させることになる。一方、送信することを望むノードが、（８０２．１１規格では分散フレーム間隔（ＤＩＦＳ）、または他の場合ポイント調整機能フレーム間隔（ＰＩＦＳ）と呼ばれる）指定された時間の間に媒体をフリーとして検知した場合、ノードは、媒体上で送信することを許可される。送信した後に、受信ノードは、受信データの巡回冗長検査（ＣＲＣ）を実行し、送信ノードに確認応答を返送することができる。送信ノードによる確認応答の受信は、衝突が生じていないことを送信ノードに示すことになる。同様に、送信ノードで確認応答の受信がないことは、衝突が生じたことと、送信ノードがデータを再送すべきであることとを示す。
【００６１】
[0067]加えて、ワイヤレスネットワークは、送信することを望むノードがそれにより最初に送信要求（ＲＴＳ）と呼ばれる短い制御パケットを受信ノードに送信する、仮想キャリア検知を実施することができる。ＲＴＳは、応答性の確認応答を含む送信のソースと、宛先と、持続時間とを含むことができる。媒体がフリーである場合、受信ノードは、ＲＴＳと同じ情報を含むことができる送信可（ＣＴＳ）メッセージで応答する。ＲＴＳまたはＣＴＳのいずれかの範囲内の任意のノードは、その（ネットワーク割振りベクトル（ＮＡＶ）とも呼ばれる）仮想キャリア検知インジケータを所与の持続時間の間セットし、その期間の間媒体上で送信する試みを延期する。したがって、仮想キャリア検知を実施すると、隠れ送信ノードによる受信ノードでの衝突の確率が低減される。ＲＴＳおよびＣＴＳのメッセージフレームは、送信ノードによって送信されようとするフルメッセージフレームよりも比較的短いので、ＲＴＳとＣＴＳとを使用するとオーバーヘッドが低減される場合もある。すなわち、送信ノードはＲＴＳを送り、ＣＴＳを受信しないことがあり、受信側がビジーであることを示すので、フルデータフレームを送り、確認応答を受信しないことと比較して、使用される媒体時間が短い。
【００６２】
[0068]上記で説明した、送信要求および送信可交換を利用する前の実装形態は、フロー制御を提供し得ない。たとえば、第１のワイヤレスデバイスが第２のワイヤレスデバイスに送信要求メッセージを送信する場合、第２のワイヤレスデバイスは、送信可メッセージを送信し、局が直ちに送信し得ることを示し得る。代替として、第２のワイヤレスデバイスは、送信可メッセージを送信し得ない。たとえば、第２のワイヤレスデバイスが、現時点において、データを受信することができない場合、それは、送信可メッセージで送信要求メッセージに応答し得ない。第１のワイヤレスデバイスが送信可メッセージを受信しないと、第１のワイヤレスデバイスは、ある時間期間の間送信するのを控え得る。第１のワイヤレスデバイスは、次いで、別の送信要求メッセージを生成し、それを第２のワイヤレスデバイスに送信し得る。
【００６３】
[0069]本明細書で説明する方法および装置は、知られているシステムおよび方法と比較して、フロー制御の改善を提供する。たとえば、提案された装置または方法のいくつかの実装形態は、データが後で送信され得るという指示を含む送信可メッセージを送信し得る。いくつかの態様では、送信可メッセージの持続時間フィールドは、データが送られ得るときを示すために使用され得る。いくつかの実装形態では、遅延の大きさは、送信局と受信アクセスポイントとの間の関連付けのときにあらかじめ定義され得る。他の実装形態では、遅延は、条件付きターゲット起動時間（ＴＷＴ：target wakeup time）に基づき得る。
【００６４】
[0070]これらの方法は、ワイヤレスネットワークを介したより効率的な通信を提供し得る。たとえば、知られている方法では、送るべきデータをもつワイヤレスデバイスが要求を送信する場合、それの目的とする受信機がデータを受信することができないと、ワイヤレスデバイスは、送信可メッセージが目的とする受信機によって送信されなくなるまである時間期間の間待つことになる。ワイヤレスデバイスは、次いで、送信要求メッセージを再送信するために媒体を求めて再び競合することが必要になる。目的とする受信機が現在利用可能である（それに応答して送信可メッセージを送信する）かどうかに応じて、ワイヤレスデバイスは、この第２の受付け中にそれの目的とする受信機にデータを送信するのに成功することも、成功しないこともある。そのような手法では、送信ノードが媒体へのアクセスを獲得し得るのと、受信ノードがデータを受信すべき位置にあるのとの両方のときを構成するのが非効率になり得る。
【００６５】
[0071]対照的に、提案された方法および装置を用いると、送信要求が送信されたときに送信デバイスからデータを受信することができない目的とする受信機は、送信可メッセージ中で、データが何らかの後の時間として送信され得ることを示し得る。後で、送信デバイスは、次いで、必ずしも送信要求メッセージを再送信する必要なしに、目的とする受信機にデータを送信し得る。さらに、改善された送信可メッセージは、ＮＡＶが設定されることになる時間を示すので、ワイヤレスネットワーク上の他のワイヤレスデバイスは、示された時間期間中に送信するのを控えるようになる。したがって、送信デバイスは、後の示された時間にワイヤレスネットワークを求めて再競合する必要がなくなる。
【００６６】
[0072]図３Ａは、ＮＡＶが設定されたか否かを示し得る送信可メッセージを送信するための例示的な方法３００のフローチャートである。図３Ａの例示的な方法３００は、ＡＰ１０４などのワイヤレスデバイス２０２によって実行され得る。方法３００によって送信される送信可メッセージは、上記で説明したように、送信デバイスと受信デバイスとの間のフロー制御を改善し得る。たとえば、送信要求メッセージが受信されたとき、受信デバイスが、送信デバイスからデータを受信することができない場合、受信デバイスは、ＮＡＶが設定されていないことを示す改善された送信可メッセージを送信し得る。送信可メッセージは、その後に受信デバイスにデータが送信され得る遅延をさらに示し得る。上記で説明したように、データを受信するための遅延を示すことによって、改善されたＣＴＳメッセージは、知られている方法よりも効率的な、送信デバイスと受信デバイスとの間のフロー制御を提供し得る。
【００６７】
[0073]ブロック３０５において、第１の装置、または、いくつかの態様では、ＡＰ１０４が第１のメッセージを受信する。第１のメッセージは、第２のメッセージを送信する許可を要求する。いくつかの態様では、第１のメッセージは、ＳＴＡ１０６などの局からの送信要求（ＲＴＳ：request-to-send）メッセージである。ＳＴＡ１０６は、ＡＰ１０４に関連する局であり得る。第１のメッセージは、ＡＰ１０４に情報を送信することをＳＴＡ１０６が望むことを示し得る。第１のメッセージは、送信のソースと、宛先と、持続時間とを含み、持続時間は、応答性の確認応答を含み得る。プロセス３００を実行するＡＰ１０４または他のデバイスは、たとえば、アンテナに取り付けられ得る受信機を使用して第１のメッセージを受信し得る。一態様では、別の装置から第１のメッセージを受信するための手段は、受信機または、プロセッサ２０４などの処理システムを備え得る。
【００６８】
[0074]ブロック３１０において、第１の装置、または、いくつかの態様では、ＡＰ１０４は、第２のメッセージのためのＮＡＶを設定すべきかどうかを示すＣＴＳメッセージを生成する。たとえば、メッセージを受信するためにＡＰ１０４を利用可能であり、媒体がフリーである場合、ＡＰ１０４は、ＳＴＡ１０６が、媒体上で第２のメッセージなどの情報を送信することと、その時間中に情報を送信しないように他のデバイスに警告することとを行うことを可能にするために、ＳＴＡ１０６に媒体がクリアであることを示し、何らかの時間期間の間にＮＡＶを設定すべきことを示し得る。しかしながら、ＡＰ１０４はまた、ＳＴＡ１０６に第１のメッセージのためのＮＡＶを設定しないことを示し得る。この指示は、媒体がフリーでないことと、この時点にＳＴＡ１０６が媒体に関する情報を送信すべきでないこととをＳＴＡ１０６に警告し得る。ＡＰ１０４は、たとえば、処理システムを使用してＣＴＳメッセージを生成し得る。一態様では、送信可メッセージを生成するための手段は、プロセッサ２０４などの処理システムを備え得、送信可メッセージは、ネットワーク割当てベクトル（ＮＡＶ）が設定されたかどうかを示す。
【００６９】
[0075]いくつかの態様では、ＣＴＳメッセージは、受信機に遅延を示す遅延インジケータを備え得る。この指示は、ＮＡＶが設定されるべきであるかどうかに少なくとも部分的に基づき得る。たとえば、ＮＡＶが設定されるべきである場合、遅延は、ショートフレーム間隔（ＳＩＦＳ：short inter-frame space）のみであり得る。ＮＡＶが設定されるべきでない場合、遅延は、ＣＴＳメッセージ内に含まれている持続時間フィールドによって示され得る。この持続時間フィールドは、ＳＴＡ１０６がデータを送るのを遅延させるべきである持続時間を示し得る。いくつかの態様では、遅延は、ＳＴＡ１０６とＡＰ１０４との間の関連付けのときにあらかじめ定義され得、またはＳＴＡ１０６とＡＰ１０４とによっていくつかのパラメータに基づいて計算され得る。いくつかの態様では、ＣＴＳメッセージは、同期インジケータを含み得、同期インジケータは、遅延の後にｔ  ＳＴＡ１０６が別のＲＴＳメッセージを送り、それに応答してＣＴＳメッセージを待つべきであるかどうかを示す。いくつかの態様では、ＣＴＳメッセージは、ＳＴＡ１０６が、最初に、別のＲＴＳメッセージに送り、それに応答してＣＴＳメッセージを待つことなしにＡＰ１０４に情報に送るべきであることを示し得る。
【００７０】
[0076]ブロック３１５において、ＡＰ１０４はＣＴＳメッセージを送信する。ＣＴＳメッセージは、第１のメッセージのためのＮＡＶを設定すべきかどうかを示し得る。ＮＡＶは、設定されることも、設定されないこともある。ＣＴＳメッセージは、その後にＳＴＡ１０６が別のＲＴＳメッセージを送るかつ／または情報を送信し得る遅延をＳＴＡ１０６に示し得る。いくつかの態様では、ＣＴＳメッセージを送信するための手段は、送信機２１０および／またはプロセッサ２０４のうちの１つまたは複数を含み得る。
【００７１】
[0077]いくつかの態様では、ＡＰ１０４は、ＣＴＳメッセージの送信に応答してＳＴＡ１０６からデータを受信するように構成され得る。たとえば、ＡＰ１０４は、ＳＴＡ１０６からの情報の送信を受信するように構成され得、ＳＴＡ１０６から別のＲＴＳメッセージを受信するように構成され得、またはＳＴＡ１０６から他のデータを受信するように構成され得る。
【００７２】
[0078]ＡＰ１０４は、たとえば、アンテナに取り付けられ得る送信機を使用してＣＴＳメッセージを送信し得る。一態様では、送信可メッセージを送信するための手段は送信機を備え得る。一態様では、送信可メッセージの指示に基づく送信可メッセージの送信に応答して他の装置からデータを受信するための手段は、受信機を備え得る。
【００７３】
[0079]図３Ｂは、ワイヤレス通信システム１００内で採用され得る例示的なワイヤレスデバイス３５０の機能ブロック図である。デバイス３５０は受信回路３５５を備える。受信回路３５５は、図３Ａに示したブロック３０５に関して上記で説明した機能のうちの１つまたは複数を実行するように構成され得る。いくつかの態様では、受信回路３５５はプロセッサ２０４および／または受信機２１２に対応し得る。デバイス３５０は生成回路３６０をさらに備える。生成回路３６０は、図３Ａに示したブロック３１０に関して上記で説明した機能のうちの１つまたは複数を実行するように構成され得る。いくつかの態様では、生成回路３６０はプロセッサ２０４に対応し得る。デバイス３５０は送信回路３６５をさらに備える。送信回路３６５は、図３Ａに示したブロック３１５に関して上記で説明した機能のうちの１つまたは複数を実行するように構成され得る。いくつかの態様では、送信回路３６５はプロセッサ２０４および／または送信機２１０に対応し得る。
【００７４】
[0080]図４Ａは、ＮＡＶが設定されたか否かを示し得る送信可メッセージを受信するための例示的な方法４００のフローチャートである。図４Ａの例示的な方法４００は、ＳＴＡ１０６などのワイヤレスデバイス２０２によって実行され得る。方法４００中で受信された送信可メッセージは、送信デバイスと受信デバイスとの間の改善されたフロー制御を提供し得る。いくつかの態様では、方法４００は、送信デバイス、すなわち、受信デバイスにデータを送信することを意図するデバイスによって実行される。プロセス３００に関して上記で説明したように、送信可メッセージは、ＮＡＶが設定されたかどうかを示し、したがって、送信可メッセージを受信するデバイス（上記で説明した送信デバイス）に、送信可メッセージの受信の後にワイヤレスネットワーク上でデータを送信し得るかどうかを示し得る。いくつかの実装形態では、受信された送信可メッセージはまた、その後にＮＡＶが設定されることになり、送信可メッセージを受信するデバイスが、受信デバイスにデータを送信し得る遅延を示し得る。
【００７５】
[0081]ブロック４０５において、ＳＴＡ１０６は、第２のメッセージを送信する許可を要求する第１のメッセージを送信する。いくつかの態様では、第１のメッセージは、ＡＰ１０４などのＡＰに送信されたＲＴＳメッセージである。第１のメッセージは、媒体を介してＡＰ１０４に情報を送ることをＳＴＡ１０６が望むことを示し得る。第１のメッセージは、送信のソースと、宛先と、持続時間とを含み、持続時間は、応答性の確認応答を含み得る。いくつかの態様では、ＳＴＡ１０６は、アンテナと送信機とを使用してＡＰにこの情報を送信し得る。いくつかの態様では、別の装置に第２のメッセージを送信する許可を要求する第１のメッセージを送信するための手段は、送信機、および／またはプロセッサ２０４などの処理システムを備え得る。
【００７６】
[0082]ブロック４１０において、ＳＴＡ１０６は、第１のメッセージのためのＮＡＶを設定すべきかどうかを示す送信可（ＣＴＳ）メッセージを受信する。送信可（ＣＴＳ）メッセージは、ＮＡＶが設定されたかまたは設定されていないかを示し得る。ＣＴＳは、ＳＴＡ１０６がＡＰ１０４に情報を送信し得る時間期間を示し得る。ＮＡＶが、ＣＴＳを受信するデバイスによって設定されるべきでない場合、これは、この時間にＳＴＡ１０６がＡＰ１０４に第１のメッセージなどの情報を送信し得ないことを示し得る。いくつかの態様では、送信可メッセージを受信するための手段は、受信機、および／またはプロセッサ２０４などの処理システムを備え得、送信可メッセージは、ネットワーク割当てベクトル（ＮＡＶ）が設定されたかどうかを示す。
【００７７】
[0083]いくつかの態様では、ＳＴＡ１０６は、ＡＰ１０４からＣＴＳメッセージを受信したことに応答して、第２のメッセージなどのデータを送信するようにさらに構成され得る。ＳＴＡ１０６は、ＣＴＳメッセージ中のＡＰ１０４から受信された情報に従ってこのデータを送信するように構成され得る。いくつかの態様では、ＣＴＳメッセージは、遅延に関する情報を含み得る。たとえば、ＣＴＳメッセージは、持続時間フィールド中で遅延を示し得る。いくつかの態様では、ＳＴＡ１０６は、ＣＴＳ中、たとえば、ＣＴＳメッセージ中に含まれる同期インジケータ中に含まれている情報またはインジケータに応じて、ＡＰ１０４にデータを送るより前に第２のメッセージを送信する許可を要求する別のメッセージを送信するように構成され得る。いくつかの態様では、ＣＴＳメッセージは、最初に、第２のメッセージを送信する許可を要求する別のメッセージを送ることなしに、同期インジケータを介してＳＴＡ１０６に、第２のメッセージなどのデータが送信され得るか、あるいは送信され得ないかを示し得、ＳＴＡ１０６は、ＣＴＳ内に含まれているこれらの命令を解釈し、それらに従うように構成され得る。いくつかの態様では、許可を要求する追加のメッセージはまた、送信要求メッセージであり得る。
【００７８】
[0084]いくつかの態様では、指示に基づいて送信可メッセージを受信したことに応答してデータを送信するための手段は、送信機、および／またはプロセッサ２０４などの処理システムを備え得る。いくつかの態様では、送信可メッセージによって示された遅延の後にデータを送信するための手段は、送信機、および／またはプロセッサ２０４などの処理システムを備え得る。いくつかの態様では、送信可メッセージ中の持続時間フィールドによって示された遅延の後にデータを送信するための手段は、送信機、および／またはプロセッサ２０４などの処理システムを備え得る。いくつかの態様では、第２の送信要求メッセージが送信され、第２の送信可メッセージが受信された後にデータを送信するための手段、ここにおいて、第２の送信要求メッセージの送信が送信可メッセージ中の指示に基づく、は、送信機、および／またはプロセッサ２０４などの処理システムを備え得る。いくつかの態様では、第２の送信要求メッセージを送信することなしに、送信可メッセージ中の指示に基づいてデータを送信するための手段は、送信機、および／またはプロセッサ２０４などの処理システムを備え得る。
【００７９】
[0085]図４Ｂは、ワイヤレス通信システム１００内で採用され得る例示的なワイヤレスデバイス４５０の機能ブロック図である。デバイス４５０は受信回路４５５を備える。受信回路４５５は、図４Ａに示したブロック４０５に関して上記で説明した機能のうちの１つまたは複数を実行するように構成され得る。いくつかの態様では、受信回路４５５はプロセッサ２０４および／または受信機２１２に対応し得る。デバイス４５０は送信回路４６０をさらに備える。送信回路４６０は、図４Ａに示したブロック４１０に関して上記で説明した機能のうちの１つまたは複数を実行するように構成され得る。いくつかの態様では、送信回路４６０はプロセッサ２０４および／または送信機２１０に対応し得る。
【００８０】
[0086]本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ内のデータにアクセスすること）などを含み得る。また、「判断」は、解決、選択、選出、確立などを含み得る。さらに、本明細書で使用する「チャネル幅」は、いくつかの態様では帯域幅を包含し得るか、または帯域幅と呼ばれることもある。
【００８１】
[0087]本明細書で使用する、項目のリスト「のうちの少なくとも１つ」を指す句は、単一のメンバを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃおよびａ−ｂ−ｃをカバーするものとする。
【００８２】
[0088]上述された方法の様々な動作は、様々なハードウェアおよび／またはソフトウェア構成要素、回路、および／またはモジュールなどの、それらの動作を実行することが可能な任意の適切な手段によって実行され得る。一般に、図に示されたどの動作も、その動作を実行することが可能な対応する機能的手段によって実行され得る。
【００８３】
[0089]本開示に関連して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書に記載された機能を実行するように設計されたそれらの任意の組合せを用いて、実施または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【００８４】
[0090]１つまたは複数の態様では、記載された機能は、ハードウェア、ソフトウェア、ファームウェア、またはそれらの任意の組合せで実装され得る。ソフトウェアで実装された場合、機能は、１つもしくは複数の命令もしくはコードとしてコンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得るし、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体）を備えることができる。加えて、いくつかの態様では、コンピュータ可読媒体は、一時的コンピュータ可読媒体（たとえば、信号）を備えることができる。上記の組合せもコンピュータ可読媒体の範囲内に含まれるべきである。
【００８５】
[0091]本明細書で開示された方法は、記載された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく修正され得る。
【００８６】
[0092]記載された機能は、ハードウェア、ソフトウェア、ファームウェア、またはそれらの任意の組合せで実装され得る。ソフトウェアで実装された場合、機能は、１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得るし、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザで光学的に再生する。
【００８７】
[0093]したがって、いくつかの態様は、本明細書で提示された動作を実行するためのコンピュータプログラム製品を備えることができる。たとえば、そのようなコンピュータプログラム製品は、本明細書に記載された動作を実行するために、１つまたは複数のプロセッサによって実行可能である命令を記憶した（かつ／または符号化した）コンピュータ可読媒体を備えることができる。いくつかの態様では、コンピュータプログラム製品はパッケージング材料を含み得る。
【００８８】
[0094]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００８９】
[0095]さらに、本明細書に記載された方法および技法を実行するためのモジュールおよび／または他の適切な手段は、適用可能な場合にユーザ端末および／または基地局によってダウンロードおよび／または他の方法で取得され得ることを諒解されたい。たとえば、本明細書に記載された方法を実行するための手段の転送を容易にするために、そのようなデバイスはサーバに結合され得る。代替として、本明細書に記載された様々な方法は、ユーザ端末および／または基地局がストレージ手段をデバイスに結合するかまたは提供すると様々な方法を取得することができるように、ストレージ手段（たとえば、ＲＡＭ、ＲＯＭ、コンパクトディスク（ＣＤ）またはフロッピーディスクなどの物理記憶媒体など）を介して提供され得る。その上、本明細書に記載された方法および技法をデバイスに提供するための任意の他の適切な技法が利用され得る。
【００９０】
[0096]特許請求の範囲は、上記に示された厳密な構成および構成要素に限定されないことを理解されたい。上述された方法および装置の構成、動作および詳細において、特許請求の範囲から逸脱することなく、様々な修正、変更および変形が行われ得る。
【００９１】
[0097]上記は本開示の態様を対象とするが、本開示の他の態様およびさらなる態様は、その基本的範囲から逸脱することなく考案され得るし、その範囲は以下の特許請求の範囲によって決定される。以下に出願当初の特許請求の範囲を付記する。  
[付記]  
[Ｃ１］
ワイヤレス通信のための第１の装置であって、
第２の装置から第１のメッセージを受信するように構成された受信機と、
前記第１のメッセージを受信したことに応答して、第２のメッセージを生成するように構成された処理システムと、前記第２のメッセージが、その後に前記第２の装置によって第３のメッセージが送信され得る遅延があるかどうかを示す値を有するフィールドを備える、
前記第２の装置に前記第２のメッセージを送信するように構成された送信機と
を備える、第１の装置。
[Ｃ２］
前記第２のメッセージがネットワーク割当てベクトル（ＮＡＶ）インジケータをさらに備える、前記ネットワーク割当てベクトル（ＮＡＶ）インジケータが、送信のためにネットワーク割当てベクトル（ＮＡＶ）を設定すべきかどうかを示す、Ｃ１に記載の装置。
[Ｃ３］
前記第１のメッセージが、前記第３のメッセージを送信する許可を要求し、前記ネットワーク割当てベクトル（ＮＡＶ）インジケータが、前記第３のメッセージの送信のために前記ネットワーク割当てベクトルを設定すべきかどうかを示す、Ｃ２に記載の装置。
[Ｃ４］
前記ＮＡＶが設定されたことを前記第２のメッセージの前記ＮＡＶインジケータが示す場合、受信機が、前記第２の装置から前記第３のメッセージを受信するように構成された、Ｃ３に記載の装置。
[Ｃ５］
前記第２のメッセージは、前記第３のメッセージが送信され得る前に、前記第３のメッセージを送信する許可を要求する追加のメッセージが前記第２の装置によって送信される必要があるかどうかを示す同期インジケータを備える、Ｃ３に記載の装置。
[Ｃ６］
前記フィールドが、前記遅延の持続時間を示す時間値を含む、Ｃ１に記載の装置。
[Ｃ７］
前記フィールドが、前記遅延の持続時間を示すフラグを含む、Ｃ１に記載の装置。
[Ｃ８］
前記遅延の持続時間が、前記第１の装置と前記第２の装置との間のネゴシエーション中に判断される、Ｃ１に記載の装置。
[Ｃ９］
前記フィールドが、持続時間フィールドを備える、さらに、ここにおいて、前記値が第１の値である場合、遅延があり、前記値が前記第１の値とは異なる第２の値である場合、遅延がない、Ｃ１に記載の装置。
[Ｃ１０］
ワイヤレス通信のための方法であって、
第１の装置によって、第２の装置から第１のメッセージを受信することと、
第２のメッセージを生成することと、前記第２のメッセージが、その後に前記第２の装置によって第３のメッセージが送信され得る遅延があるかどうかを示す値を有するフィールドを備える、
第２の装置に前記第２のメッセージを送信することと
を備える方法。
[Ｃ１１］
前記第３のメッセージの送信のためにネットワーク割当てベクトルを設定すべきかどうかを示すネットワーク割当てベクトルインジケータをさらに備える、Ｃ１０に記載の方法。
[Ｃ１２］
前記第１のメッセージが、前記第３のメッセージを送信する許可を要求し、ここにおいて、前記ネットワーク割当てベクトルインジケータが、前記第３のメッセージの送信のために前記ネットワーク割当てベクトルを設定すべきかどうかを示す、Ｃ１１に記載の方法。
[Ｃ１３］
前記第２のメッセージは、前記第３のメッセージが送信され得る前に、前記第３のメッセージを送信する許可を要求する追加のメッセージが前記第２の装置によって送信される必要があるかどうかを示す同期インジケータをさらに備える、Ｃ１２に記載の方法。
[Ｃ１４］
前記ＮＡＶが設定されたことを前記ＮＡＶインジケータが示した場合、前記第２のメッセージの前記送信の後に前記第２の装置から前記第３のメッセージを受信することをさらに備える、Ｃ１２に記載の方法。
[Ｃ１５］
前記フィールドが、前記遅延の持続時間を示す時間値を含む、Ｃ１０に記載の方法。
[Ｃ１６］
その後に前記第１の装置と前記第２の装置との間のネゴシエーション中に第３のメッセージが送信され得る前記遅延の持続時間を判断することをさらに備える、Ｃ１０に記載の方法。
[Ｃ１７］
前記フィールドが、定義された遅延値を示すフラグである、Ｃ１０に記載の方法。
[Ｃ１８］
前記フィールドが、持続時間フィールドを備える、さらに、ここにおいて、前記値が第１の値である場合、遅延があり、前記値が前記第１の値とは異なる第２の値である場合、遅延がない、Ｃ１０に記載の方法。
[Ｃ１９］
ワイヤレス通信のための第１の装置であって、
第２の装置から第１のメッセージを受信するように構成された受信機と、前記第１のメッセージが、その後に第２のメッセージが送信され得る遅延があるかどうかを示す値を有するフィールドを備える、
遅延があることを前記フィールドが示す場合、前記遅延の後に前記第２の装置に前記第２のメッセージを送信するように構成された処理システムと
を備える、第１の装置。
[Ｃ２０］
処理システムが、前記第１のメッセージ中のネットワーク割当てベクトル（ＮＡＶ）インジケータに基づいて、ネットワーク割当てベクトル（ＮＡＶ）が前記第２のメッセージの送信のために設定されることになるかどうかを判断するように構成された、Ｃ１９に記載の装置。
[Ｃ２１］
前記処理システムが、前記第１のメッセージの持続時間フィールドに基づいて前記遅延を判断するようにさらに構成された、Ｃ２０に記載の装置。
[Ｃ２２］
前記処理システムが、前記第１のメッセージ中の同期インジケータに基づいて前記第２のメッセージを送信する許可を要求する追加のメッセージを送信すべきかどうかを判断するようにさらに構成された、
前記送信機は、さらに、前記追加のメッセージが必要であることを前記同期インジケータが示す場合、前記追加のメッセージを送信するように構成され、前記追加のメッセージが必要ないことを前記同期インジケータが示す場合、前記追加のメッセージを送信しないように構成される、Ｃ１９に記載の装置。
[Ｃ２３］
前記フィールドが、持続時間フィールドを備える、前記処理システムが、前記値が第１の値である場合、遅延があると判断し、前記値が前記第１の値とは異なる第２の値である場合、遅延がないと判断するようにさらに構成された、Ｃ１９に記載の装置。
[Ｃ２４］
ワイヤレス通信のための方法であって、
第２の装置から第１のメッセージを受信することと、前記第１のメッセージが、その後に第２のメッセージが送信され得る遅延があるかどうかを示す値を有するフィールドを備える、
遅延があることを前記フィールドが示す場合、前記遅延の後に前記第２の装置に第２のメッセージを送信することと
を備える方法。
[Ｃ２５］
前記第１のメッセージ中に含まれるネットワーク割当てベクトル（ＮＡＶ）インジケータに基づいて、ネットワーク割当てベクトル（ＮＡＶ）が前記第２のメッセージのために設定されることになるかどうかを判断するために前記第１のメッセージを復号すること
をさらに備える、Ｃ２４に記載の方法。
[Ｃ２６］
前記第１のメッセージの持続時間フィールドに基づいて前記遅延を判断することをさらに備える、Ｃ２５に記載の方法。
[Ｃ２７］
前記第１のメッセージ中の同期インジケータに基づいて前記第２のメッセージを送信する許可を要求する追加のメッセージを送信すべきかどうかを判断することと、
前記追加のメッセージが必要であることを前記同期インジケータが示す場合、前記追加のメッセージを送信することと、
前記追加のメッセージが必要ないことを前記同期インジケータが示す場合、前記追加のメッセージを送信しないことと、
をさらに備える、Ｃ２４に記載の方法。
[Ｃ２８］
前記フィールドが、持続時間フィールドを備える、前記方法は、前記値が第１の値である場合、遅延があると判断することと、前記値が前記第１の値とは異なる第２の値である場合、遅延がないと判断することとをさらに備える、Ｃ２４に記載の方法。
【図１】
0006275741.tif 000002
【図２】
0006275741.tif 000003
【図３Ａ】
0006275741.tif 000004
【図３Ｂ】
0006275741.tif 000005
【図４Ａ】
0006275741.tif 000006
【図４Ｂ】
0006275741.tif 000007